(57)【要約】【課題】  本発明の目的は、熱源部１により流路２に循環する媒体ＴＣに与えた冷熱を放熱部２０により放熱させて室内を冷房する冷房運転、又は、熱源部１により媒体ＴＣに与えた温熱を放熱部２０により放熱させて室内を暖房する暖房運転を実行可能に構成された空気調和装置において、冷房又は暖房に加えて室内を除湿又は加湿する機能を備え、利用者の快適性を向上させる点にある。【解決手段】  媒体ＴＣが水分を吸収及び放出可能な媒体であり、冷房運転時において媒体ＴＣに室内の水分を吸収させる除湿運転を実行可能、又は、暖房運転時において媒体ＴＣの水分を室内に放出させる加湿運転を実行可能な室内機３０と、冷房運転時において媒体ＴＣから室外に水分を放出させる放水運転を実行可能、又は、暖房運転時において媒体ＴＣに室外の水分を吸収させる吸水運転を実行可能な室外機４０とを備える。【選択図】        図１
2005345020.tif 000002
【特許請求の範囲】
【請求項１】
熱搬送媒体に熱を与える熱源部と、前記熱源部との間で循環流路を介して循環される前記熱搬送媒体の熱を室内に放出させる放熱部とを備え、前記熱源部により前記熱搬送媒体に冷熱を与えながら前記循環流路に前記熱搬送媒体を循環させて前記室内を冷房する冷房運転を実行可能に構成された空気調和装置であって、
前記熱搬送媒体が、水分を吸収及び放出可能な媒体であり、
前記冷房運転時において、前記熱搬送媒体を前記室内空気と接触させて、前記熱搬送媒体に前記室内の水分を吸収させる除湿運転を実行可能な室内機と、
前記冷房運転時において、前記熱搬送媒体を前記室外空気と接触させて、前記循環流路の前記放熱部から前記熱源部へ向かう前記熱搬送媒体から前記室外に水分を放出させる放水運転を実行可能な室外機とを備えた空気調和装置。
【請求項２】
前記室外機に、前記放水運転時に前記熱搬送媒体を加熱する室外機加熱手段を備えた請求項１に記載の空気調和装置。
【請求項３】
前記室外機に、前記放水運転時に前記室外空気を減圧する室外機減圧手段を備えた請求項１又は２に記載の空気調和装置。
【請求項４】
熱搬送媒体に熱を与える熱源部と、前記熱源部との間で循環流路を介して循環される前記熱搬送媒体の熱を室内に放出させる放熱部とを備え、前記熱源部により前記熱搬送媒体に温熱を与えながら前記循環流路に前記熱搬送媒体を循環させて前記室内を暖房する暖房運転を実行可能に構成された空気調和装置であって、
前記熱搬送媒体が、水分を吸収及び放出可能な媒体であり、
前記暖房運転時において、前記熱搬送媒体を前記室内空気と接触させて、前記熱搬送媒体の水分を前記室内に放出させる加湿運転を実行可能な室内機と、
前記暖房運転時において、前記熱搬送媒体を前記室外空気と接触させて、前記循環流路の前記放熱部から前記熱源部へ向かう前記熱搬送媒体に前記室外の水分を吸収させる吸水運転を実行可能な室外機とを備えた空気調和装置。
【請求項５】
前記室外機に、前記吸水運転時に前記熱搬送媒体を冷却する室外機冷却手段を備えた請求項４に記載の空気調和装置。
【請求項６】
前記室外機に、前記吸水運転時に前記室外空気を加圧する室外機加圧手段を備えた請求項４又は５に記載の空気調和装置。
【請求項７】
熱搬送媒体に熱を与える熱源部と、前記熱源部との間で循環流路を介して循環される前記熱搬送媒体の熱を室内に放出させる放熱部とを備え、前記熱源部により前記熱搬送媒体に冷熱を与えながら前記循環流路に前記熱搬送媒体を循環させて前記室内を冷房する冷房運転と、前記熱源部により前記熱搬送媒体に温熱を与えながら前記循環流路に前記熱搬送媒体を循環させて前記室内を暖房する暖房運転とを択一的に実行可能に構成された空気調和装置であって、
前記熱搬送媒体が、水分を吸収及び放出可能な媒体であり、
前記冷房運転時において、前記熱搬送媒体を前記室内空気と接触させて、前記熱搬送媒体に前記室内の水分を吸収させる除湿運転を実行可能、且つ、前記暖房運転時において、前記熱搬送媒体を前記室内空気と接触させて、前記熱搬送媒体の水分を前記室内に放出させる加湿運転を実行可能な室内機と、
前記冷房運転時において、前記熱搬送媒体を前記室外空気と接触させて、前記循環流路の前記放熱部から前記熱源部へ向かう前記熱搬送媒体から前記室外に水分を放出させる放水運転を実行可能、且つ、前記暖房運転時において、前記熱搬送媒体を前記室外空気と接触させて、前記循環流路の前記放熱部から前記熱源部へ向かう前記熱搬送媒体に前記室外の水分を吸収させる吸水運転を実行可能な室外機とを備えた空気調和装置。
【請求項８】
前記室外機に、前記放水運転時に前記熱搬送媒体を加熱する室外機加熱手段として機能すると共に、前記吸水運転時に前記熱搬送媒体を冷却する室外機冷却手段として機能する室外機温度調整機構を備えた請求項７に記載の空気調和装置。
【請求項９】
前記室外機に、前記放水運転時に前記室外空気を減圧する室外機減圧手段として機能すると共に、前記吸水運転時に前記室外空気を加圧する室外機加圧手段として機能する室外機圧力調整機構を備えた請求項７又は８に記載の空気調和装置。
【請求項１０】
前記室内の湿度を検出する湿度検出手段を備え、
前記湿度検出手段の検出結果に基づいて前記室内機の作動を制御する室内機作動制御手段を備えた請求項１から９の何れか１項に記載の空気調和装置。
【請求項１１】
前記熱搬送媒体の含水率を検出する含水率検出手段を備え、
前記含水率検出手段の検出結果に基づいて前記室外機の作動を制御する室外機作動制御手段を備えた請求項１から１０の何れか１項に記載の空気調和装置。
【発明の詳細な説明】
【技術分野】
【０００１】
本発明は、熱搬送媒体に熱を与える熱源部と、前記熱源部との間で循環流路を介して循環される前記熱搬送媒体の熱を室内に放出させる放熱部とを備え、前記熱源部により前記熱搬送媒体に冷熱を与えながら前記循環流路に前記熱搬送媒体を循環させて前記室内を冷房する冷房運転、及び、前記熱源部により前記熱搬送媒体に温熱を与えながら前記循環流路に前記熱搬送媒体を循環させて前記室内を暖房する暖房運転の少なくとも一方を実行可能に構成された空気調和装置に関する。
【背景技術】
【０００２】
従来、上記のような空気調和装置は、上記冷房運転のみを実行可能な冷房装置、上記暖房運転のみを実行可能な暖房装置、又は、上記冷房運転及び上記暖房運転を択一的に実行可能な冷暖房装置として構成される。そして、かかる空気調和装置は、床や壁や天井等に設置された上記放熱部と上記熱源部との間で水等の熱搬送媒体を循環させながら、上記冷房運転時には、上記熱源部において熱搬送媒体を冷却し、その熱搬送媒体に与えた冷熱を上記放熱部において室内に放出させることで、室内を輻射式に冷房し、上記暖房運転時には、上記熱源部において熱搬送媒体を加熱し、その熱搬送媒体に与えた温熱を上記放熱部において室内に放出させることで、室内を輻射式に暖房するように構成される（例えば、特許文献１〜３を参照。）。
【０００３】
また、空気調和装置により室内を冷房するときには、室内を除湿し、一方、空気調和装置により室内を暖房するときには、室内を加湿することで、利用者の快適性を一層向上させることができる。
【０００４】
そして、上記特許文献１に記載の空気調和装置は、上記輻射式に冷房しながら室内の除湿を行うことができるものであり、具体的には、放熱部の一部に室内の露点以下に冷却された熱搬送媒体を供給することにより、その放熱部の部分で結露を生じさせて室内を除湿するように構成されている。
【０００５】
水分を吸収及び放出可能な吸放湿ロータを利用して、室内の除湿及び加湿を行うことができる空気調和装置として、デシカント型空調機と呼ばれるものがある（例えば、特許文献４を参照。）。かかるデシカント型空調機は、室外から上記吸放湿ロータを通気して室内に供給される空気の水分を上記吸放湿ロータに吸収させると共に、室内から上記吸放湿ロータを通気して室外に排出される空気に上記吸放湿ロータの水分を放出させることで、室内の除湿を行い、一方、室外から上記吸放湿ロータを通気して室内に供給される空気に対して上記吸放湿ロータから水分を放出させると共に、室内から上記吸放湿ロータを通気して室外に排出される空気の水分を上記吸放湿ロータに吸収させることで、室内の加湿を行うように構成されている。
【０００６】
【特許文献１】特開平４−２９２７３０号公報
【特許文献２】特開平１０−１７６８７９号公報
【特許文献３】特開平７−１７４３６８号公報
【特許文献４】特開平９−４２７０９号公報
【発明の開示】
【発明が解決しようとする課題】
【０００７】
しかしながら、上記特許文献１に記載の空気調和装置は、放熱部において結露を発生させることで室内を除湿するので、その結露水による放熱部及び室内の浸水を防止するために、その結露水を外部に排出するための配管等を別途設ける必要がある。
また、この空気調和装置では、室内の露点以下という非常に低温の熱搬送媒体を放熱部に供給する必要があるので、室内が過剰に冷房されてしまい、利用者の快適性が低下するという問題が発生し、更には、熱源部の熱搬送媒体に対する冷却能力を大きくする必要があるので、装置の大型化及び高コスト化を招く場合がある。
【０００８】
また、従来の空気調和装置により輻射式に冷房又は暖房を行う場合において、室内の過剰な冷房及び暖房を防止しながら、室内の湿度を適当なものに調整するためには、空気調和装置とは別に、上述したデシカント空調機のような湿度調整を行うための装置を設ける必要があった。
【０００９】
本発明は、上記の課題に鑑みてなされたものであり、その目的は、室内を輻射式に冷房又は暖房する空気調和装置であって、冷房又は暖房に加えて、室内を除湿又は加湿する機能を備え、利用者の快適性を向上することができる空気調和装置を提供する点にある。
【課題を解決するための手段】
【００１０】
上記目的を達成するための本発明に係る空気調和装置は、熱搬送媒体に熱を与える熱源部と、前記熱源部との間で循環流路を介して循環される前記熱搬送媒体の熱を室内に放出させる放熱部とを備え、前記熱源部により前記熱搬送媒体に冷熱を与えながら前記循環流路に前記熱搬送媒体を循環させて前記室内を冷房する冷房運転を実行可能に構成された空気調和装置であって、その特徴構成は、前記熱搬送媒体が、水分を吸収及び放出可能な媒体であり、
前記冷房運転時において、前記熱搬送媒体を前記室内空気と接触させて、前記熱搬送媒体に前記室内の水分を吸収させる除湿運転を実行可能な室内機と、
前記冷房運転時において、前記熱搬送媒体を前記室外空気と接触させて、前記循環流路の前記放熱部から前記熱源部へ向かう前記熱搬送媒体から前記室外に水分を放出させる放水運転を実行可能な室外機とを備えた点にある。
【００１１】
上記特徴構成によれば、冷房運転時において、熱搬送媒体としての水分を吸収及び放出可能な媒体を上記循環流路に流通させながら、上記熱源部において当該熱搬送媒体に与えた冷熱を上記放熱部において室内に放出させることで室内を冷房するときに、上記室内機により除湿運転を行って、比較的低温の熱搬送媒体を水蒸気圧がその熱搬送媒体よりも高い室内空気と接触させることで、室内の水分を熱搬送媒体に吸収させて室内を除湿することができ、冷房時における利用者の快適性を向上することができる。また、上記冷房運転時において、上記室外機により放水運転を行って、上記除湿運転により水蒸気圧が上昇した熱搬送媒体を比較的高温で水蒸気圧がその熱搬送媒体よりも低い室外空気と接触させることで、熱搬送媒体が上記除湿運転により吸収した水分を室外へ放出させて、上記熱搬送媒体の含水率を低下させ上記除湿運転における除湿能力を再生することができる。
【００１２】
また、冷房運転を実行可能に構成された本発明に係る空気調和装置の更なる特徴構成は、前記室外機に、前記放水運転時に前記熱搬送媒体を加熱する室外機加熱手段を備えた点にある。
【００１３】
上記特徴構成によれば、上記室外機に上記室外機加熱手段を設けることで、冷房運転時において上記室外機により上記放水運転を行う際には、熱搬送媒体を加熱することでその熱搬送媒体の水蒸気圧を一層高くして、熱搬送媒体の水分の室外への放出を促進させることができ、上記熱搬送媒体の含水率を一層低下させて上記除湿運転における除湿能力を向上させることができる。
【００１４】
また、冷房運転を実行可能に構成された本発明に係る空気調和装置の更なる特徴構成は、前記室外機に、前記放水運転時に前記室外空気を減圧する室外機減圧手段を備えた点にある。
【００１５】
上記特徴構成によれば、上記室外機に上記減圧手段を設けることで、冷房運転時において上記室外機により上記放水運転を行う際には、熱搬送媒体に接触させる室外空気を減圧することで室外空気の水蒸気圧を一層低くして、熱搬送媒体の水分の室外への放出を促進させることができ、上記熱搬送媒体の含水率を一層低下させて上記除湿運転における除湿能力を向上させることができる。
【００１６】
上記目的を達成するための本発明に係る空気調和装置は、熱搬送媒体に熱を与える熱源部と、前記熱源部との間で循環流路を介して循環される前記熱搬送媒体の熱を室内に放出させる放熱部とを備え、前記熱源部により前記熱搬送媒体に温熱を与えながら前記循環流路に前記熱搬送媒体を循環させて前記室内を暖房する暖房運転を実行可能に構成された空気調和装置であって、その特徴構成は、前記熱搬送媒体が、水分を吸収及び放出可能な媒体であり、
前記暖房運転時において、前記熱搬送媒体を前記室内空気と接触させて、前記熱搬送媒体の水分を前記室内に放出させる加湿運転を実行可能な室内機と、
前記暖房運転時において、前記熱搬送媒体を前記室外空気と接触させて、前記循環流路の前記放熱部から前記熱源部へ向かう前記熱搬送媒体に前記室外の水分を吸収させる吸水運転を実行可能な室外機とを備えた点にある。
【００１７】
上記特徴構成によれば、暖房運転時において、熱搬送媒体としての水分を吸収及び放出可能な媒体を上記循環流路に流通させながら、上記熱源部において当該熱搬送媒体に与えた温熱を上記放熱部において室内に放出させることで室内を輻射式に暖房するときに、上記室内機により加湿運転を行って、比較的高温の熱搬送媒体を水蒸気圧がその熱搬送媒体よりも低い室内空気と接触させることで、熱搬送媒体が吸収した水分を室内に放出させて室内を加湿することができ、暖房時における利用者の快適性を向上することができる。また、上記暖房運転時において、上記室外機により吸水運転を行って、上記加湿運転により水蒸気圧が低下した熱搬送媒体を比較的低温で水蒸気圧がその熱搬送媒体よりも高い室外空気と接触させることで、熱搬送媒体に室外の水分を吸収させて、上記熱搬送媒体の含水率を上昇させ上記加湿運転における加湿能力を再生することができる。
【００１８】
また、暖房運転を実行可能に構成された本発明に係る空気調和装置の更なる特徴構成は、前記室外機に、前記吸水運転時に前記熱搬送媒体を冷却する室外機冷却手段を備えた点にある。
【００１９】
上記特徴構成によれば、上記室外機に上記室外機冷却手段を設けることで、暖房運転時において上記室外機により上記吸水運転を行う際には、熱搬送媒体を冷却することでその熱搬送媒体の水蒸気圧を一層低くして、室外の水分の熱搬送媒体への吸収を促進させることができ、上記熱搬送媒体の含水率を一層上昇させて上記加湿運転における加湿能力を向上させることができる。
【００２０】
また、暖房運転を実行可能に構成された本発明に係る空気調和装置の更なる特徴構成は、前記室外機に、前記吸水運転時に前記室外空気を加圧する室外機加圧手段を備えた点にある。
【００２１】
上記特徴構成によれば、上記室外機に上記加圧手段を設けることで、暖房運転時において上記室外機により上記吸水運転を行う際には、熱搬送媒体に接触させる室外空気を加圧することで室外空気の水蒸気圧を一層高くして、室外の水分の熱搬送媒体への吸収を促進させることができ、上記熱搬送媒体の含水率を一層上昇させて上記加湿運転における加湿能力を向上させることができる。
【００２２】
上記目的を達成するための本発明に係る空気調和装置は、熱搬送媒体に熱を与える熱源部と、前記熱源部との間で循環流路を介して循環される前記熱搬送媒体の熱を室内に放出させる放熱部とを備え、前記熱源部により前記熱搬送媒体に冷熱を与えながら前記循環流路に前記熱搬送媒体を循環させて前記室内を冷房する冷房運転と、前記熱源部により前記熱搬送媒体に温熱を与えながら前記循環流路に前記熱搬送媒体を循環させて前記室内を暖房する暖房運転とを択一的に実行可能に構成された空気調和装置であって、その特徴構成は、前記熱搬送媒体が、水分を吸収及び放出可能な媒体であり、
前記冷房運転時において、前記熱搬送媒体を前記室内空気と接触させて、前記熱搬送媒体に前記室内の水分を吸収させる除湿運転を実行可能、且つ、前記暖房運転時において、前記熱搬送媒体を前記室内空気と接触させて、前記熱搬送媒体の水分を前記室内に放出させる加湿運転を実行可能な室内機と、
前記冷房運転時において、前記熱搬送媒体を前記室外空気と接触させて、前記循環流路の前記放熱部から前記熱源部へ向かう前記熱搬送媒体から前記室外に水分を放出させる放水運転を実行可能、且つ、前記暖房運転時において、前記熱搬送媒体を前記室外空気と接触させて、前記循環流路の前記放熱部から前記熱源部へ向かう前記熱搬送媒体に前記室外の水分を吸収させる吸水運転を実行可能な室外機とを備えた点にある。
【００２３】
上記特徴構成によれば、空気調和装置を冷房運転と暖房運転とを択一的に実行可能に構成した場合には、上述したように冷房運転時に除湿運転を実行可能な室内機と、上述したように暖房運転時に加湿運転を実行可能な室内機とを、共通の室内機で構成すると共に、上述したように冷房運転時に放水運転を実行可能な室外機と、上述した暖房運転時に吸水運転を実行可能な室外機とを、共通の室外機で構成することができる。従って、このような簡単且つ合理的な構成により、輻射式の冷房又は暖房を実行する際には、除湿又は加湿を行って室内湿度を適切に調整して、利用者の快適性を向上できる空気調和装置を実現することができる。
【００２４】
また、冷房運転と暖房運転とを択一的に実行可能に構成された本発明に係る空気調和装置の更なる特徴構成は、前記室外機に、前記放水運転時に前記熱搬送媒体を加熱する室外機加熱手段として機能すると共に、前記吸水運転時に前記熱搬送媒体を冷却する室外機冷却手段として機能する室外機温度調整機構を備えた点にある。
【００２５】
上記特徴構成によれば、上記室外機に上記室外機加熱手段及び上記室外機冷却手段として機能する室外機温度調整機構を設けることで、冷房運転時において上記室外機により上記放水運転を行う際には、熱搬送媒体を加熱状態で室外空気に接触させて熱搬送媒体の水分の室外への放出を促進させることができ、一方、暖房運転時において上記室外機により上記吸水運転を行う際には、熱搬送媒体を冷却状態で室外空気に接触させて室外の水分の熱搬送媒体への吸収を促進させることができ、上記熱搬送媒体の含水率を一層適切なものに再生して上記除湿運転又は上記加湿運転における能力を向上させることができる。
【００２６】
また、冷房運転と暖房運転とを択一的に実行可能に構成された本発明に係る空気調和装置の更なる特徴構成は、前記室外機に、前記放水運転時に前記室外空気を減圧する室外機減圧手段として機能すると共に、前記吸水運転時に前記室外空気を加圧する室外機加圧手段として機能する室外機圧力調整機構を備えた点にある。
【００２７】
上記特徴構成によれば、上記室外機に上記減圧手段及び上記加圧手段として機能する室外機圧力調整機構を設けることで、冷房運転時において上記室外機により上記放水運転を行う際には、熱搬送媒体を減圧状態で室外空気に接触させて熱搬送媒体の水分の室外への放出を促進させることができ、一方、暖房運転時において上記室外機により上記吸水運転を行う際には、熱搬送媒体を加圧状態で室外空気に接触させて室外の水分の熱搬送媒体への吸収を促進させることができ、上記熱搬送媒体の含水率を一層適切なものに再生して上記除湿運転又は上記加湿運転における能力を向上させることができる。
【００２８】
また、冷房運転と暖房運転との少なくとも一方を実行可能に構成された本発明に係る空気調和装置の更なる特徴構成は、前記室内の湿度を検出する湿度検出手段を備え、
前記湿度検出手段の検出結果に基づいて前記室内機の作動を制御する室内機作動制御手段を備えた点にある。
【００２９】
上記特徴構成によれば、上記室内機作動制御手段により上記湿度検出手段で検出された室内の湿度に基づいて室内機の作動を制御することで、冷房運転時又は暖房運転時において、室内機による除湿運転又は加湿運転を適切に断続させて、室内の湿度を例えば設定範囲内に安定させて、利用者の快適性を常に良好なものに維持することができる。
【００３０】
また、冷房運転と暖房運転との少なくとも一方を実行可能に構成された本発明に係る空気調和装置の更なる特徴構成は、前記熱搬送媒体の含水率を検出する含水率検出手段を備え、
前記含水率検出手段の検出結果に基づいて前記室外機の作動を制御する室外機作動制御手段を備えた点にある。
【００３１】
上記特徴構成によれば、上記室外機作動制御手段により上記含水率検出手段で検出された熱搬送媒体の含水率に基づいて室外機の作動を制御することで、冷房運転時又は暖房運転時において、室外機による放水運転又は吸水運転を適切に断続させて、熱搬送媒体の含水率を例えば設定範囲内に安定させて、上記除湿運転又は上記加湿運転における能力を常に良好なものに維持することができる。
【発明を実施するための最良の形態】
【００３２】
本発明の実施の形態について、図面に基づいて説明する。
図１に示す空気調和装置は、熱搬送媒体ＴＣに熱を与える熱源部１と、熱源部１との間で循環流路２を介して循環される熱搬送媒体ＴＣの熱を室内に放出させる放熱部２０を備え、熱源部１により熱搬送媒体ＴＣに冷熱を与えながら循環流路２に熱搬送媒体ＴＣを循環させて室内を冷房する冷房運転、及び、熱源部１により熱搬送媒体ＴＣに温熱を与えながら循環流路２に熱搬送媒体ＴＣを循環させて室内を暖房する暖房運転を、択一的に実行可能に構成されている。
【００３３】
上記熱源部１は、冷房運転時には例えば１８℃以下と低温とされ、一方、暖房運転時には例えば６０℃以上と高温とされる第１熱媒体Ｔ１が供給され、その第１熱媒体Ｔ１と熱搬送媒体ＴＣとの熱交換を行う熱交換器により構成されている。即ち、冷房運転時には、その熱交換器からなる熱源部１による低温の第１熱媒体Ｔ１と熱搬送媒体ＴＣとの熱交換により、熱搬送媒体ＴＣに対して、上記第１熱媒体Ｔ１が有する冷熱を与えて例えば１８℃程度と低温に冷却することができ、一方、暖房運転時には、その熱源部１による高温の第１熱媒体Ｔ１と熱搬送媒体ＴＣとの熱交換により、熱搬送媒体ＴＣに対して、上記第１熱媒体Ｔ１が有する温熱を与えて例えば６０℃程度と高温に加熱することができる。
【００３４】
また、熱源部１は、上記第１熱媒体Ｔ１の温度を低温と高温とに切り替えるために、冷熱と温熱とを発生可能な公知の吸収式ヒートポンプやガスエンジンヒートポンプ等で構成することができる。即ち、冷房運転時には、発生した冷熱により第１熱媒体Ｔ１を冷却し、暖房運転時には、発生した温熱により第１熱媒体Ｔ１を加熱するように構成される。
【００３５】
上記放熱部２０は、室内の床、壁、天井等に設置され上記熱搬送媒体ＴＣが流通する伝熱チューブ２１が張り巡らされた冷暖房パネルとして構成されている。そして、冷房運転時には、上記伝熱チューブ２１に低温の熱搬送媒体ＴＣを流通させることで、室内にその熱搬送媒体ＴＣが有する冷熱を放出して室内を冷房し、一方、暖房運転時には、上記伝熱チューブ２１に高温の熱搬送媒体ＴＣを流通させることで、室内にその熱搬送媒体ＴＣが有する温熱を放出させて室内を暖房することができる。
【００３６】
上記熱搬送媒体ＴＣが循環する循環流路２は、熱源部１から放熱部２０に向かう方向に熱搬送媒体ＴＣが流通する往流路３と、放熱部２０から熱源部１に向かう方向に熱搬送媒体ＴＣが流通する復流路４とからなり、この循環流路２の往流路３には、熱搬送媒体ＴＣを循環流路２に循環させるためのポンプ５が設けられている。
【００３７】
そして、冷房運転時には、往流路３を流通する熱搬送媒体ＴＣの温度は例えば１８℃程度と低温となると共に、復流路４を流通する熱搬送媒体ＴＣの温度は例えば２２℃程度と往流路３を流通する熱搬送媒体ＴＣよりも高温となり、一方、暖房運転時には、往流路３を流通する熱搬送媒体ＴＣの温度は例えば６０℃程度と高温となると共に、復流路４を流通する熱搬送媒体ＴＣの温度は例えば５０℃程度と往流路３を流通する熱搬送媒体ＴＣよりも低温となる。
【００３８】
また、空気調和装置には、コンピュータからなる制御装置１０が設けられており、この制御装置１０は、リモコン等の操作部（図示せず）における入力信号に従って、上記冷房運転と上記暖房運転の切り替え、それらの運転時における各種ポンプや開閉弁などの補機の作動制御等を行うように構成されている。
【００３９】
空気調和装置は、上述した冷房運転時において室内を除湿する除湿運転を実行可能、且つ、上述した暖房運転時において室内を加湿する加湿運転を実行可能に構成されており、それら除湿運転及び加湿運転を実行することにより、利用者の快適性を向上させることができる。以下、上記除湿運転及び上記加湿運転を行うための詳細構成について、説明を加える。
【００４０】
循環流路２を循環する熱搬送媒体ＴＣとしては、水分を吸収及び放出可能な塩化リチウム水溶液、臭化リチウム水溶液、トリエチレングリコール水溶液等の所謂吸収溶液と呼ばれる媒体が利用されている。
このような吸収溶液である熱搬送媒体ＴＣは、一般的に、その熱搬送媒体ＴＣよりも水蒸気圧が高い空気と接触することで、その空気の水分を吸収し、逆に、その熱搬送媒体ＴＣよりも水蒸気圧が低い空気と接触することで、その空気に水分を放出する性質を有する。
【００４１】
更に、放熱部２０が設置されている室内には、冷房運転時においては、熱搬送媒体ＴＣを室内空気と接触させて、熱搬送媒体ＴＣに室内の水分を吸収させることで室内の除湿を行う除湿運転を実行可能、且つ、暖房運転時においては、熱搬送媒体ＴＣを室内空気と接触させて、熱搬送媒体ＴＣの水分を室内に放出させることで室内の加湿を行う加湿運転を実行可能な室内機３０が設けられており、以下、その室内機３０の詳細構成について説明を加える。
【００４２】
上記室内機３０は、循環流路２の復流路４に接続されたバイパス流路３６が後述する散布部３２に接続され、復流路４において上記バイパス流路３６よりも下流側に接続されたバイパス流路３７が後述するケーシング部材３１の下方に貯留された熱搬送媒体ＴＣに端部を埋没させた状態で、室内に設けられている。
そして、この室内機３０は、ケーシング３１と、ケーシング３１内に室内空気を通風可能なファン３３と、ケーシング３１内にバイパス流路３６から供給された熱搬送媒体ＴＣを散布可能な散布部３２とを備えて構成されている。
【００４３】
更に、室内機３０は、上記除湿運転又は上記加湿運転において、バイパス流路３６に設けられた開閉弁３９を開状態とすると共にバイパス流路３７に設けられたポンプ３８及び上記ファン３３を作動させることにより、ケーシング３１内に室内空気を通風させながら散布部３２により熱搬送媒体ＴＣを散布させることで、熱搬送媒体ＴＣを室内空気と接触させ、室内空気に接触した後にケーシング３１の下方に貯留された熱搬送媒体ＴＣがポンプ３８により復流路４に戻される。
【００４４】
そして、室内機３０による上記除湿運転においては、比較的低温の熱搬送媒体ＴＣが、その熱搬送媒体ＴＣよりも水蒸気圧が高い室内空気と接触することにより、室内の水分が熱搬送媒体ＴＣに吸収されることになるので、室内が除湿されることになる。
一方、室内機３０による上記加湿運転においては、比較的高温の熱搬送媒体ＴＣが、その熱搬送媒体ＴＣよりも水蒸気圧が低い室内空気と接触することにより、熱搬送媒体ＴＣの水分が室内に放出されることになるので、室内が加湿されることになる。
【００４５】
また、この室内機３０には、上記除湿運転時にケーシング３１内において熱搬送媒体ＴＣの水分吸収を促進させるために熱搬送媒体ＴＣを冷却する室内機冷却手段Ｒｃとして機能すると共に、上記加湿運転時にケーシング３１内において熱搬送媒体ＴＣの水分放出を促進させるために熱搬送媒体ＴＣを加熱する室内機加熱手段Ｒｈとして機能する室内機温度調整機構として、伝熱管３４が設けられている。
即ち、この伝熱管３４には、上記冷房運転時において少なくとも上記除湿運転時には、比較的低温の熱媒体として、例えば熱源部１から排出された第１熱媒Ｔ１’が供給され、一方、上記暖房運転時において少なくとも上記加湿運転時には、比較的高温の熱媒体として、例えば熱源部１から排出された第１熱媒Ｔ１’が供給されて、上記のように上記除湿運転時又は上記加湿運転時にケーシング３１内において熱搬送媒体ＴＣを冷却又は加熱するように構成されている。
【００４６】
更に、熱源部１等が設置されている室外には、冷房運転時においては、熱搬送媒体ＴＣを室外空気と接触させて、熱搬送媒体ＴＣの水分を室外に放出させる放水運転を実行可能、且つ、暖房運転時においては、熱搬送媒体ＴＣを室内空気と接触させて、熱搬送媒体ＴＣに室外の水分を吸収させる吸水運転を実行可能な室外機４０が設けられており、以下、その室外機４０の詳細構成について説明を加える。
【００４７】
上記室外機４０は、循環流路２の復流路４の上記室内機３０が接続されたバイパス流路３６，３７よりも下流側に接続されたバイパス流路４７が後述する散布部４２に接続され、復流路４において上記バイパス流路４７よりも下流側に接続されたバイパス流路４８が上記ケーシング部材４１の下方に貯留された熱搬送媒体ＴＣに端部を埋没させた状態で、室外に設けられている。
そして、この室外機４０は、ケーシング４１と、ケーシング４１内に室外空気を通風可能なガスポンプ４３と、ケーシング４１内にバイパス流路４７から供給された熱搬送媒体ＴＣを散布可能な散布部４２とを備えて構成されている。
【００４８】
更に、室外機４０は、上記放水運転又は上記吸水運転において、バイパス流路４７に設けられた開閉弁５０を開状態とすると共にバイパス流路４８に設けられたポンプ４９及び上記ガスポンプ４３を作動させることにより、ケーシング４１内に室外空気を通風させながら散布部４２により熱搬送媒体ＴＣを散布させることで、熱搬送媒体ＴＣを室外空気と接触させ、室外空気に接触した後にケーシング３１の下方に貯留された熱搬送媒体ＴＣがポンプ３８により復流路４に戻される。
【００４９】
そして、室外機４０による上記放水運転においては、上述した除湿運転により水蒸気圧が上昇した熱搬送媒体ＴＣが、その熱搬送媒体ＴＣよりも水蒸気圧が低い室外空気と接触ことにより、熱搬送媒体ＴＣの水分が室外に放出されることになり、水分を放出して含水率が低下した熱搬送媒体ＴＣがバイパス流路４８及び復流路４を介して熱源部１に供給されて再度冷却され冷房及び除湿に利用されることになる。
【００５０】
一方、室外機４０による上記吸水運転においては、上述した加湿運転により水蒸気圧が低下した熱搬送媒体ＴＣが、その熱搬送媒体ＴＣよりも水蒸気圧が高い室外空気と接触することにより、熱搬送媒体ＴＣに室外空気の水分が吸収されることになり、水分を吸収して含水率が上昇した熱搬送媒体ＴＣがバイパス流路４８及び復流路４を介して熱源部１に供給されて再度加熱され暖房及び加湿に利用されることになる。
【００５１】
また、この室外機４０には、上記放水運転時にケーシング４１内において熱搬送媒体ＴＣの水分放出を促進させるために熱搬送媒体ＴＣを加熱する室外機加熱手段Ｏｈ（図１（ａ）参照）として機能すると共に、上記吸水運転時にケーシング４１内において熱搬送媒体ＴＣの水分吸収を促進させるために熱搬送媒体ＴＣを冷却する室外機冷却手段Ｏｃ（図１（ｂ）参照）として機能する室外機温度調整機構として、伝熱管４６が設けられている。
即ち、この伝熱管４６には、上記冷房運転時において少なくとも上記放水運転時には、比較的高温の第２熱媒体Ｔ２が供給され、一方、上記暖房運転時において少なくとも上記吸水運転時には、比較的高温の第２熱媒体Ｔ２が供給されて、上記のように上記放水運転時又は上記吸水運転時にケーシング４１内において熱搬送媒体ＴＣを加熱又は冷却するように構成されている。
【００５２】
尚、この第２熱媒体Ｔ２を上記冷房運転時に加熱し上記暖房運転時に冷却するための熱は、ヒートポンプ等で構成される熱源部１により、上記熱源部１等に供給される第１熱媒体Ｔ１を冷房運転時に冷却し暖房運転時に加熱するための熱を発生させる際に生成される排熱を利用することができる。
【００５３】
また、この室外機４０には、上記放水運転時にケーシング４１内において熱搬送媒体ＴＣの水分放出を促進させるために室外空気を減圧する室外機減圧手段Ｏｄ（図１（ａ）参照）として機能すると共に、上記吸水運転時にケーシング４１内において熱搬送媒体ＴＣの水分吸収を促進させるために室外空気を加圧する室外機加圧手段Ｏｐ（図１（ｂ）参照）として機能する室外機圧力調整機構として、上記ガスポンプ４３と、そのガスポンプ４３による室外空気の流通方向を切り替え可能な四方切替弁４４と、ケーシング４１内を絞り状態で室外に開放するオリフィス部４５とが設けられている。
即ち、上記冷房運転時において少なくとも上記放水運転時には、上記四方切替弁４４を図１（ａ）の状態に切り替えてガスポンプ４３を作動させることにより、ケーシング４１内の空気を、ガスポンプ４３を介して室外へ排出して、オリフィス部４５を介して室外空気をケーシング４１内に供給することで、室外からケーシング４１内に供給される空気がオリフィス部４５を通過する際に受ける抵抗により、ケーシング４１内が減圧され、一方、上記暖房運転時において少なくとも上記吸水運転時には、上記四方切替弁４４を図１（ｂ）の状態に切り替えてガスポンプ４３を作動させることにより、室外空気を、ガスポンプ４３を介してケーシング４１内に供給して、オリフィス部４５を介してケーシング４１内の空気を室外に排出することで、ケーシング４１内から室外に排出される空気がオリフィス部４５を通過する際に受ける抵抗により、ケーシング４１内が加圧されることになる。
【００５４】
また、上記冷房運転時における上記室内機３０による除湿運転及び上記室外機４０による放水運転については、連続的又は所定の時間間隔で断続的に実行するように構成しても構わず、一方、上記暖房運転時における上記室内機３０による加湿運転及び上記室外機４０による吸水運転についても、連続的又は所定の時間間隔で断続的に実行するように構成しても構わない。
【００５５】
しかし、本実施形態の空気調和装置は、利用者の快適性及び熱搬送媒体ＴＣの含水率を適切なものとするために、上記のような各運転を状況に応じて実行するように構成されており、以下、その詳細について説明を加える。
【００５６】
上記放熱部２０及び上記室内機３０が設置されている室内には、その室内の湿度を検出する湿度センサからなる湿度検出手段７が設置されており、更に、制御手段１０が、その湿度検出手段７の検出結果に基づいて室内機３０による除湿運転又は加湿運転の作動を制御する室内機作動制御手段１１として機能するように構成されている。
【００５７】
即ち、冷房運転時において、上記室内機作動制御手段１１は、湿度検出手段７で検出された室内の湿度が設定範囲を超えた場合には上記室内機３０による除湿運転を開始し、湿度検出手段７で検出された室内の湿度が設定範囲を下回った場合には上記室内機３０による除湿運転を停止するように構成されており、結果、室内の湿度が設定範囲内に安定して利用者の快適性が良好なものに維持されることになる。
【００５８】
一方、暖房運転時において、上記室内機作動制御手段１１は、湿度検出手段７で検出された室内の湿度が設定範囲を下回った場合には上記室内機３０による加湿運転を開始し、湿度検出手段７で検出された室内の湿度が設定範囲を超えた場合には上記室内機３０による加湿運転を停止するように構成されており、結果、室内の湿度が設定範囲内に安定して利用者の快適性が良好なものに維持されることになる。
【００５９】
また、循環流路２の例えば熱源部１の入口部には、熱搬送媒体ＴＣの含水率を検出する含水率検出手段９が設置されており、更に、制御手段１０が、その含水率検出手段９の検出結果に基づいて室外機４０による放水運転又は吸水運転の作動を制御する室外機作動制御手段１２として機能するように構成されている。
【００６０】
即ち、冷房運転時において、上記室外機作動制御手段１２は、含水率検出手段９で検出された熱搬送媒体ＴＣの含水率が設定範囲を超えた場合には上記室外機４０による放水運転を開始し、含水率検出手段９で検出された熱搬送媒体ＴＣの含水率が設定範囲を下回った場合には上記室外機４０による放水運転を停止するように構成されており、結果、熱搬送媒体ＴＣの含水率が除湿運転を行う際に良好に室内の水分を吸収できる設定範囲内に維持されることになる。
【００６１】
一方、暖房運転時において、上記室外機作動制御手段１２は、含水率検出手段９で検出された熱搬送媒体ＴＣの含水率が設定範囲を下回った場合には上記室外機４０による吸水運転を開始し、含水率検出手段９で検出された熱搬送媒体ＴＣの含水率が設定範囲を超えた場合には上記室外機４０による吸水運転を停止するように構成されており、結果、熱搬送媒体ＴＣの含水率が加湿運転を行う際に良好に室内に水分を放出できる設定範囲内に維持されることになる。
【００６２】
尚、上記含水率検出手段９は、例えば、一定の体積流量で循環流路２を流通する熱搬送媒体ＴＣにおいて、含水率の変化により質量流量が変化することを利用して、その熱搬送媒体ＴＣの質量流量を計測することで含水率を検出するように構成することができる。
【００６３】
〔別実施形態〕
（１）上記実施の形態では、本発明に係る空気調和装置を、冷房運転と暖房運転とを択一的に実行可能なものとして構成したが、別に、冷房運転及び暖房運転の一方のみを実行可能なものとして構成しても構わない。
【００６４】
そして、空気調和装置を冷房運転のみを実行可能に構成する場合には、上記室内機３０において除湿運転を実行可能、上記室外機４０において放水運転を実行可能に構成すればよく、一方、空気調和装置を暖房運転のみを実行可能に構成する場合には、上記室内機３０において加湿運転を実行可能、上記室外機４０において吸水運転を実行可能に構成すればよい。
【００６５】
また、空気調和装置を冷房運転のみを実行可能に構成する場合には、例えば、熱源部１を地下水等の冷熱を利用して第１熱媒体Ｔ１を冷却するように構成しても構わず、一方、空気調和装置を暖房運転のみを実行可能に構成する場合には、例えば、熱源部１をエンジンの排熱やバーナの燃焼ガス等の温熱を利用して第１熱媒体Ｔ１を加熱するように構成することもできる。
【００６６】
（２）上記実施の形態では、上記室内機３０が接続されるバイパス流路３６，３７を、循環流路２の復流路４をバイパスするものとしたが、別に、図２に示すように、上記室内機３０が接続されるバイパス流路３６，３７を、循環流路２の往流路３をバイパスするものとして、室内機に、上記室内機３０が接続されるバイパス流路３６，３７を、循環流路２の復流路４をバイパスするものとして、熱源部１からなる熱源部１から放熱部２０に向かう熱搬送媒体ＴＣを室内機３０に供給するように構成しても構わない。
【００６７】
尚、このように構成した場合には、熱源部１において冷熱（冷房運転時）又は温熱（暖房運転時）が与えられた熱搬送媒体ＴＣが、放熱部２０において放熱される前の状態で室内機３０に供給されることになるので、室内機３０における熱搬送媒体ＴＣの吸水量（除湿運転時）又は放水量（加湿運転時）が向上され、更に、そのように充分に吸水又は放水した熱搬送媒体ＴＣが放熱部２０において放熱した後に室外機４０に供給されることになるので、室外機４０における熱搬送媒体ＴＣの放水量（放水運転時）又は吸水量（吸水運転時）も向上されることになる。
【００６８】
また、このように構成する場合には、熱源部１において熱搬送媒体ＴＣに与えられた熱が室内機３０で消費されることで、放熱部２０における冷房能力又は暖房能力が低下することが懸念されるので、例えば、上記冷房能力又は暖房能力の低下を回避するべく、熱源機５０から排出される熱搬送媒体ＴＣの設定温度を低め（冷房運転時）又は高め（暖房運転時）に設定することが好ましい。
【００６９】
（３）上記実施の形態では、室内機３０及び室外機４０において、上記熱搬送媒体ＴＣとケーシング３１，４１内の空気とを接触させるために上記散布部３２，４２により熱搬送媒体ＴＣをケーシング３１，４１内に散布させるように構成したが、上記熱搬送媒体ＴＣとケーシング３１，４１内の空気とを接触させるための構成は、例えば、熱搬送媒体ＴＣに空気をバブリングさせる構成などのように適宜変更することができる。
【００７０】
（４）上記実施の形態において、上記室内機３０に設けた室内機温度調整機構としての伝熱管３４、又は、上記室外機４０に設けた室外機温度調整機構としての伝熱管４６や室外機圧力調整機構としてのガスポンプ４９等は、室内機３０における熱搬送媒体ＴＣの吸水量（除湿運転時）又は放水量（加湿運転時）、又は、室外機４０における熱搬送媒体の放水量（放水運転時）又は吸水量（吸水運転時）が、除湿能力又は加湿能力を発揮できる範囲内で、適宜その温度調整能力又は圧力調整能力を縮小したり、それらの構成を省略しても構わない。
【００７１】
（５）上記実施の形態では、循環流路２において熱搬送媒体ＴＣの循環方向を一方向としたが、別に、循環流路２において熱搬送媒体ＴＣの循環方向を一定時間毎に切り替えるように構成しても構わない。このように、循環流路２において熱搬送媒体ＴＣの循環方向を一定時間毎に切り替えることにより、冷房運転時においては、循環流路２全体の熱搬送媒体ＴＣの平均温度を低下させて、その熱搬送媒体ＴＣの水蒸気圧を良好に低下させ、室内機３０における除湿能力を向上することができ、一方、暖房運転時においては、循環流路２全体の熱搬送媒体ＴＣの平均温度を上昇させて、その熱搬送媒体ＴＣの水蒸気圧を良好に上昇させ、室内機３０における加湿能力を向上させることができる。
【００７２】
（６）上記実施の形態において説明いた本発明に係る空気調和装置は、熱源部１により熱搬送媒体ＴＣに冷熱を与えながら循環流路２に熱搬送媒体ＴＣを循環させて室内を冷房する冷房運転、又は、熱源部１により熱搬送媒体ＴＣに温熱を与えながら循環流路２に熱搬送媒体ＴＣを循環させて室内を暖房する暖房運転を実行可能な冷房又は暖房装置に、除湿運転又は加湿運転を行うための室内機３０及び室外機４０を組み合わせた装置として構成することができ、例えば、既築のビルや住宅の冷房又は暖房装置（例えば、床暖房装置）に対して、上記室内機３０及び室外機４０等を追加する改造を行うことで、本発明に係る除湿運転又は加湿運転を実行可能な空気調和装置とすることができ、既設の配管等を利用することにより設置コストを安く抑えることができる。
【図面の簡単な説明】
【００７３】
【図１】空気調和装置の実施の形態を示す概略構成図
【図２】空気調和装置の別の実施の形態を示す概略構成図
【符号の説明】
【００７４】
１：熱源部
２：循環流路
３：往流路
４：復流路
５：ポンプ
７：湿度検出手段
９：含水率検出手段
１０：制御装置
１１：室内機作動制御手段
１２：室外機作動制御手段
２０：放熱部
２１：伝熱チューブ
３０：室内機
３１：ケーシング
３２：散布部
３３：ファン
３４：伝熱管（室内機温度調整機構）
３６，３７：バイパス流路
３８：ポンプ
３９：開閉弁
４０：室外機
４１：ケーシング
４２：散布部
４３：ガスポンプ（室外機圧力調整機構）
４４：四方切替弁（室外機圧力調整機構）
４５：オリフィス部（室外機圧力調整機構）
４６：伝熱管（室外機温度調整機構）
４７，４８：バイパス流路
４９：ポンプ
５０：開閉弁
ＴＣ：熱搬送媒体
Ｔ１：第１熱媒体
Ｔ２：第２熱媒体
Ｒｃ：室内機冷却手段
Ｒｈ：室内機加熱手段
Ｏｈ：室外機加熱手段
Ｏｃ：室外機冷却手段
Ｏｄ：室外機減圧手段
Ｏｐ：室外機加圧手段
【図１】
2005345020.tif 000003
【図２】
2005345020.tif 000004